(57)【要約】【課題】ユーザの手が汚れないようにする、インク吸収体の交換方法を提供する。【解決手段】記録装置には、吐出口が設けられた吐出面を有する記録ヘッドと、払拭ユニット４１と、インク吸収体を吐出面に押圧する押圧部材４６と、が備えられている。払拭ユニット４１には、吐出面と当接して吐出面を払拭可能なシート状のインク吸収体と、該インク吸収体が巻回された送り出し回転体４３と、該送り出し回転体４３から送り出されたインク吸収体を巻き取る巻取り回転体４５と、が設けられている。払拭ユニット４１は記録装置本体に着脱可能であり、かつ、記録装置本体に取り付けられたときに吐出面と対向する位置に開口部４４が設けられている。払拭ユニット４１の交換方法には、払拭ユニット４１の交換命令を受信する工程と、交換命令を受信すると、巻取り回転体４５を回転させて開口部４４から露出したインク吸収体の部位を移動させる工程と、を備えている。【選択図】図５
2012051142.tif 000002
【特許請求の範囲】
【請求項１】
インクを吐出するための複数の吐出口が設けられた吐出面を有する記録ヘッドと、
前記吐出面と当接して前記吐出面を払拭可能なシート状のインク吸収体と、該インク吸収体が巻回された送り出し回転体と、該送り出し回転体から送り出されたインク吸収体を巻き取る巻取り回転体と、を有する払拭ユニットと、
前記インク吸収体を前記吐出面に押圧するための押圧部材と、
を備え、前記払拭ユニットは記録装置本体に着脱可能であり、前記払拭ユニットは、前記記録装置本体に取り付けられたときに前記吐出面と対向する位置に開口部が設けられている、記録装置の払拭ユニットの交換方法であって、
前記払拭ユニットの交換命令を受信する工程と、
前記交換命令を受信すると、前記巻取り回転体を回転させて前記開口部から露出したインク吸収体の部位を移動させる工程と、
を備えることを特徴とする、払拭ユニットの交換方法。
【請求項２】
前記インク吸収体の部位を移動させる工程において、前記インク吸収体の前記送り出し回転体から前記巻取り回転体に向かう方向に見て、前記インク吸収体の前記インクが付着した部分の後端が前記開口部の下流側の端部に位置するまで前記インク吸収体を前記巻取り回転体に巻取る、請求項１に記載の払拭ユニットの交換方法。
【請求項３】
前記インク吸収体の一部分を交換基準位置として予め設定しておき、前記インク吸収体の前記交換基準位置が、前記送り出し回転体から前記巻取り回転体に至る経路のうちの予め決められた箇所に到達したら、前記払拭ユニットの交換命令を送信する、請求項１または２に記載の払拭ユニットの交換方法。
【請求項４】
記録装置の制御部に、前記インク吸収体の前記巻取り回転体への巻取り開始位置から交換基準位置までの長さを予め記憶させておき、前記記録装置の使用を開始した後に、前記巻取り回転体で巻き取った前記インク吸収体の巻き径と、前記インク吸収体の厚さと、前記巻取り回転体の回転角から、前記巻取り回転体によって巻取られた前記インク吸収体の長さを求め、その長さが、予め記憶させていた前記インク吸収体の巻取り開始位置から交換基準位置までの長さと等しくなったら、前記払拭ユニットの交換命令を送信する、請求項１または２に記載の払拭ユニットの交換方法。
【請求項５】
前記インク吸収体の未使用部分が前記送り出し回転体に巻かれて残っている状態で前記記録装置本体から取り出された前記払拭ユニットが、再度、前記記録装置本体に取り付けられた場合は、前記記録装置が再び使用される前に、前記インク吸収体の未使用部分の先端が、前記記録ヘッドと対向する位置に位置するまで前記送り出し回転体を回転させて前記インク吸収体を巻取る、請求項１に記載のインク吸収体の交換方法。
【請求項６】
インクを吐出するための複数の吐出口が設けられた吐出面を有する記録ヘッドと、
前記吐出面と当接して前記吐出面を払拭可能なシート状のインク吸収体と、該インク吸収体が巻回された送り出し回転体と、該送り出し回転体から送り出されたインク吸収体を巻き取る巻取り回転体と、を有する払拭ユニットと、
前記インク吸収体を前記吐出面に押圧するための押圧部材と、を備え、
前記払拭ユニットは装置本体に着脱可能であり、かつ、前記装置本体に取り付けられたときに前記吐出面と対向する位置に開口部が設けられている、記録装置であって、
前記払拭ユニットの交換命令を受信すると前記巻取り回転体を回転させて前記開口部から露出した前記インク吸収体の部位を移動させる巻取り駆動手段と、をさらに有する、記録装置。
【請求項７】
前記インク吸収体の一部分に設けられた交換基準位置を検知する検知手段を有している、請求項６に記載の記録装置。
【請求項８】
前記制御部は、前記インク吸収体の巻取り開始位置から交換基準位置までの長さを記憶でき、かつ、前記巻取り回転体に巻取られた前記インク吸収体の長さを算出して、記憶している前記巻取り開始位置から交換基準位置までの長さと対比する、請求項６に記載の記録装置。
【発明の詳細な説明】
【技術分野】
【０００１】
本発明は、記録装置のインク吸収体を交換する交換方法に関する。
【背景技術】
【０００２】
特許文献１に、内部に送り出し軸と巻取り軸を有し、ロール状に巻かれた連続したシート状のインク吸収体が送り出し軸に取り付けられ、記録装置が動作を開始すると、インク吸収体が送り出し軸から巻取り軸に巻取られる、中空の箱型のカセットが開示されている。このカセットは、記録装置本体に着脱可能に取り付けられる。
【０００３】
カセットの、フェイス面と対向する位置の面は、フェイス面とインク吸収体とが当接できるように、フェイス面と対向する領域に開口部が設けられている。この開口部を介して露出したインク吸収体を、カセットの内部に位置する押圧部材で押して、フェイス面と当接させ、フェイス面に付着したインクを拭き取っている。また、送り出し軸や巻取り軸が設けられている面と対向する面は、外部に開放している。
【０００４】
フェイス面のインクを拭き取った使用後のインク吸収体は巻取り軸に巻取られる。未使用のインク吸収体を全て使用し切ったときには、残っているインク吸収体を巻取り軸に全て巻取り、インク吸収体が送り出し軸に係止していない状態にする。この状態で、ユーザがインク吸収体を収容しているカセットごと記録装置本体から取り外し、カセットの外部に開放している面から使用済みのインク吸収体を取り出し廃棄する。そして、新しいインク吸収体を送り出し軸に取り付け、インク吸収体の先端を巻取り軸に係止させ、再びカセットを記録装置本体に取り付ける。インク吸収体がカセットに収容された状態で記録装置本体からカセットを取り出し、インク吸収体が巻取り軸に巻取られた状態でインク吸収体を廃棄するので、ユーザがインク吸収体に触れて汚れてしまう可能性は低い。
【先行技術文献】
【特許文献】
【０００５】
【特許文献１】特開２００５−２１２３５１号公報
【発明の概要】
【発明が解決しようとする課題】
【０００６】
しかしながら、カセットの開口部を介して、巻取り軸に巻取られたインク吸収体がカセットから露出している。そのため、ユーザがカセットに触れる際、開口部を介してカセット内部のインクが付着したインク吸収体に触れてしまい、手を汚してしまう可能性がある。
【０００７】
本発明は、上記課題に鑑みてなされたものであり、インク吸収体を交換するときにユーザの手が汚れないようにする、インク吸収体の交換方法を提供する。
【課題を解決するための手段】
【０００８】
記録装置には、複数の吐出口が設けられた吐出面を有する記録ヘッドと、払拭ユニットと、インク吸収体を吐出面に押圧するための押圧部材と、が備えられている。払拭ユニットには、吐出面と当接して吐出面を払拭可能なシート状のインク吸収体と、該インク吸収体が巻回された送り出し回転体と、該送り出し回転体から送り出されたインク吸収体を巻き取る巻取り回転体と、が設けられている。払拭ユニットは記録装置本体に着脱可能であり、払拭ユニットは、記録装置本体に取り付けられたときに吐出面と対向する位置に開口部が設けられている。この記録装置の払拭ユニットの交換方法には、払拭ユニットの交換命令を受信する工程と、交換命令を受信すると、巻取り回転体を回転させて開口部から露出したインク吸収体の部位を移動させる工程と、を備えている。
【発明の効果】
【０００９】
本発明によれば、ユーザが手を汚すことなく、インク吸収体を交換することができる。
【図面の簡単な説明】
【００１０】
【図１】本発明に係るインクジェット記録装置の一実施形態の要部の概略断面図を示す。
【図２】記録装置の制御系について示したブロック図である。
【図３】インク払拭装置の払拭動作を説明する概略図である。
【図４】カセットの交換時の動作を説明するためのシーケンス図である。
【図５】カセットの交換時の動作を説明するためのインク払拭装置の概略図である。
【図６】カセットを記録装置本体に取付けるときの動作の流れを示すシーケンス図である。
【発明を実施するための形態】
【００１１】
以下に、添付の図面に基づき、本発明の実施の形態を説明する。なお、同一の機能を有する構成には添付図面中、同一の番号を付与し、その説明を省略することがある。
【００１２】
本発明のインクジェット記録装置は、供給部と記録部と排紙部とを有する。供給部から記録媒体が供給され、記録媒体の搬送経路で下流側にある記録部に搬送され、この記録部で記録媒体への記録が行われ、そして、記録後の記録媒体が、さらに下流側にある排紙部に搬送される。
【００１３】
図１に、本発明に係るインクジェット記録装置の一実施形態の要部の概略断面図を示す。
【００１４】
記録ヘッド１のインク吐出面７には、イエロー、マゼンタ、シアン、ブラックの各色インクをそれぞれ吐出する複数の吐出口２〜５が設けられている。なお、このインクはこの４色に限定されるものではない。以降、インク吐出面７を「フェイス面７」とする。記録ヘッド１に設けられたこれらの吐出口２〜５は、プラテン１２に支持される記録媒体６と対向する位置に配されている。また、記録ヘッド１の、吐出口２〜５が設けられている位置の内部には、不図示の電気熱変換体が備えられている。この電気熱変換体に駆動信号に基づいた電気信号を印加することによって、インクに気泡を発生させ、その気泡の圧力によって、インクを吐出口２〜５から吐出させる。なお、イエロー、マゼンタ、シアン、ブラックの各色インクは、不図示のインクタンクから供給される。
【００１５】
記録ヘッド１のフェイス面７と対向する位置を、プラテン１２に支持されながら記録媒体６が不図示の搬送ローラによって搬送される。
【００１６】
記録ヘッド１は、ガイドシャフト１０にガイドされて、不図示のキャリッジモータの回転によって記録媒体６の幅方向、つまり、図１ではＸ方向に往復走査されるキャリッジ１１に搭載されている。キャリッジ１１は、不図示の搬送モータの間欠的な回転に伴って、プラテン１２上を間欠的に搬送される記録媒体６の搬送停止中に、Ｘ方向に往復走査される。その往復走査中に、記録ヘッド１の吐出口２〜５から、各色インクが記録媒体６に向かって吐出され、記録媒体６に付着することで、画像等の記録が行われる。記録媒体６の間欠的な搬送とキャリッジ１１の往復走査中の各吐出口２〜５からのインク吐出を繰り返すことで、記録媒体６への画像の記録が完了する。また、記録ヘッド１は記録媒体６、後述するインク払拭装置２０、そして後述するキャップ１３と対向する位置を移動可能である。
【００１７】
吐出口２〜５からのインク中の溶媒の蒸発を抑制したり、インクの吐出性能を維持するための回復処理をしたりするため、プラテン６の側方の、フェイス面７と対向する位置に、キャップ１３が設けられている。キャップ１３の内部にはインク吸収体１４が設けられている。キャップ１３は、記録ヘッド１と当接可能な当接位置と、記録ヘッド１から離間した離間位置と、に移動可能である。
【００１８】
非記録時には、吐出口２〜５がキャップ１３で覆われる。また、回復処理には吸引や予備吐出がある。吸引では、吐出口２〜５をキャップ１３でキャッピングした状態で、ポンプ１５でキャップ１３内に負圧を発生させ、記録に寄与しないインクを吸引し、吸引されたインクはチューブ１６を介して不図示の廃インク吸収部に搬送される。予備吐出は、吐出口から、キャップ１３内にインクを吐出させる。キャップ１３内に排出されたインクはポンプ１５で吸引され、チューブ１６を介して廃インク吸収部に搬送される。
【００１９】
また、記録ヘッド１のフェイス面７と対向する位置であり、キャップ１３とプラテン１２との間に、フェイス７に付着したインク残渣等の異物を除去するためにフェイス面７を払拭する、インク払拭装置２０が設けられている。インク払拭装置２０は、不図示の移動機構によって、記録ヘッド１と当接する当接位置と、記録ヘッド１とは間隔を有した位置である待機位置との間をＺ方向に往復移動する。なお、インク払拭装置の詳細については後述する。
【００２０】
なお、プラテン１２、キャップ１３、およびインク払拭装置２０の並び順は、適宜変更して構わない。
【００２１】
次に、このように構成されたインクジェット記録装置の制御系について、図２に示したブロック図を参照しながら説明する。
【００２２】
ホストコンピュータ２５が、例えばＵＳＢ（Universal Serial Bus）インターフェイス等によってインクジェット記録装置と接続されている。また、ホストコンピュータ２５内には、プリンタドライバ２６がソフトウェアとして記憶されている。プリンタドライバ２６は、ユーザによるプリント指令に応じて、ユーザ所望の文書や写真等の画像データからプリントデータを生成し、プリントデータをインクジェット記録装置へと送信する。
【００２３】
ホストコンピュータ２５からインクジェット記録装置へと送信されたプリントデータは、受信バッファ２７に保持される。受信バッファ２７に保持されたプリントデータは、制御部であるＣＰＵ（Central Processing Unit）２８の管理下で、ＲＡＭ（Random Access Memory)２９に転送されて、一次的に記憶される。インクジェット記録装置の各種制御に必要なプログラムや固定データ等はＲＯＭ（Read Only Memory)３０に記憶される。また、不揮発性メモリＮＶＲＡＭ（Non Volatile Random Access Memory）３１によって、インクジェット記録装置の電源が切断されるときにも記憶しておくべき情報が保存される。
【００２４】
さらに、キャリッジモータや搬送モータ等の各種モータ３２は、ＣＰＵ２８からの指示に基づいたモータドライバ３３の指示により駆動される。各種モータ３２には、後述するインク払拭装置２０におけるインク吸収体の巻取りモータや押圧部材の駆動モータも含まれる。特に、モータドライバ３３とインク吸収体の巻取りモータとが、後述する巻取り回転体を駆動してインク吸収体を巻取るための巻取り駆動手段として機能する。記録ヘッド１は、ヘッドドライバ３４の指示により駆動される。また、各種センサ／スイッチ３５はセンサ／スイッチコントローラ３６によって制御される。各種センサ／スイッチ３５には、後述するインク払拭装置２０におけるインク吸収体の交換基準位置検知センサ等も含まれる。
【００２５】
次に、本実施形態のインク払拭装置２０とその払拭動作について詳細に説明する。
【００２６】
図３は、インク払拭装置２０の払拭動作を説明する概略図である。インク払拭装置２０は、記録装置本体に対して着脱可能な払拭ユニットであるカセット４１と記録装置本体に取り付けられた押圧部材４６と、不図示の交換基準位置検知センサとを有している。カセット４１は、２つの平面を有しており、その２つの平面の側部を側壁で囲んだ箱状をしている。カセット４１の２つの平面のうち、一方の平面には、カセット４１を記録装置本体に取り付けたときに、記録装置本体に取り付けられた押圧部材４６がカセット４１の内部に挿入可能なように不図示の挿入口が設けられている。さらに、一方の平面には、送り出し回転体４３と巻取り回転体４５とが設けられている。どちらの回転体４３、４５も、記録装置に設けられた不図示の送り出しモータと巻取りモータとにそれぞれ嵌合いしている。また、他方の平面は、内部を覆っていても、開放していても構わない。カセット４１の側壁のうち、記録ヘッド１と対向する面（図３では上面）に開口部４４が設けられている。カセット４１の内部には、記録ヘッド１のフェイス面７に付着したインクを払拭可能な連続したシート状のインク吸収体４２が設けられている。そして、インク吸収体４２の一方の端部は巻取り回転体４５に係止され、ロール状に巻かれており、他方の端部は送り出し回転体４３に係止されている。その状態でインク吸収体４２は送り出し回転体４３から巻取り回転体４５に巻取られていく。インク吸収体４２の送り出し回転体４３から巻取り回転体４５に向かう方向にみて、開口部４４の上流側と下流側の両端部付近であり、開口部４４と略同一平面状にガイドローラ４７が設けられている。インク吸収体４２の、送り出し回転体４３と巻取り回転体４５の間の部分は、ガイドローラ４７の外側、つまり、インク吸収体４２が開口部４４から露出するように、ガイドローラ４７に支持されている。本発明のインク払拭装置２０では、カセット４１内の送り出し回転体４３に巻かれたインク吸収体２０が、ガイドローラ４７を介して巻取り回転体４５に巻取られるようになっている。なお、インク吸収体４２は払拭液を含浸したものである。
【００２７】
カセット４１が記録装置本体に取り付けられた状態では、開口部４４と対向する位置であり、カセット４１の内側には、ゴムなどの弾性体からなる押圧部材４６が位置する。押圧部材４６は、不図示の移動機構によって開口部４４方向に移動可能である。押圧部材４６が、インク吸収体４２とは間隔を有する位置である待機位置から開口部４４方向に移動する。そして、押圧部材４６が開口部４４に位置するインク吸収体４２を押し上げ、インク吸収体４２が記録ヘッド１のフェイス面７と当接する当接位置まで移動する。そして、インク吸収体４２でフェイス面７が払拭される。
【００２８】
次に、インク払拭装置２０による記録ヘッド１のフェイス面７の払拭動作について説明する。
【００２９】
押圧部材４６が、インク吸収体４２と当接しない待機位置に位置している（図３（ａ）参照）。
【００３０】
記録ヘッド１のフェイス面７を払拭する時は、押圧部材４６が開口部４４側に移動してインク吸収体４２を押し上げ、さらにインク吸収体４２と記録ヘッド１のフェイス面７とが当接する当接位置まで移動する（図３（ｂ）参照）。なお、押圧部材４６が待機位置から当接位置に移動を開始するときには、記録ヘッド１は開口部４４と対向する位置以外の位置にある。例えば、記録媒体６（記録媒体６がないときはプラテン１２）やキャプ１２と対向する位置である。押圧部材４６によりインク吸収体４２が当接位置まで移動した状態で記録ヘッド１が移動し、インク吸収体４２と当接し、フェイス面７をインク吸収体４２で払拭することでフェイス面７のインクが除去され、払拭動作が完了する。ここで、記録ヘッド１の移動とは、上述のキャリッジ１１の移動と同義であり、以下では記録ヘッド１に注目した記述であるため、記録ヘッド１の移動と称す。
【００３１】
記録ヘッド１のフェイス面７の払拭が終了した後、押圧部材４６が待機位置に移動するとともに、巻取り回転体４５によってインク吸収体４２が所定量巻き取られ、開口部４４内に位置してインクを吸収していた部位が移動する。インク吸収体４２が巻取られ、インクを吸収していた部位が移動することで、次の払拭動作時には、インク吸収体４６の未使用部分が記録ヘッド１のフェイス面７と当接する事が可能となる。
【００３２】
次に交換時のインク払拭装置２０の動作について説明する。
【００３３】
図４は本実施例によって実行されるカセットの交換時の動作を説明するためのシーケンス図である。
【００３４】
払拭動作毎にインク吸収体４２の未使用部分が使用されるため、払拭動作回数の増加に伴い、インク吸収体４２の未使用部分が消費され減っていく。そのため、インク吸収体４２の一部分を交換基準位置として予め設定しておき、検知手段である不図示の交換基準位置検知センサでインク吸収体４２の交換基準位置を検知する（Ｓ４０１）。インク吸収体４２の交換基準位置を交換基準位置検知センサが検知したとき、制御部であるＣＰＵ２８からカセット４１を交換するための指令（交換命令）がモータドライバ３３に送信される。そして、ＣＰＵ２８の指令に基づいて、巻取り回転体４５を回転させる不図示の巻取りモータを駆動するための指令がモータドライバ３３によって送られ、巻取りモータを回転させる（Ｓ４０２）。ユーザによってインク吸収体４２の交換指示がなされたときにも巻取りモータを回転させる工程（Ｓ４０２）が行なわれる。なお、インク吸収体４２の交換基準位置を検知したときは、インクを吸収したインク吸収体（以降、「吸収済みインク吸収体５２」と称する）の交換基準位置は開口部４４上に位置する（図５（ａ）参照）。
【００３５】
次に、巻取りモータの回転で、巻取りモータに連結された巻取り回転体４５が回転し、インク吸収体４２が所定量巻取られる（Ｓ４０３）。そのため、インク吸収体４２の開口部４４内に位置してインクを吸収していた部位が移動する。したがって、吸収済みインク吸収体５２が開口部４４上に位置することがない（図５（ｂ）参照）。なお、この場合の所定量とはインク吸収体４２の送り出し回転体４３から巻取り回転体４５に向かう方向にみて、吸収済みインク吸収体５２の後端が、押圧部材４６と対向する位置から、開口部４４の下流側の端部の位置まで移動する長さのことである。
【００３６】
その後、記録装置に設けられている表示部に交換時期であることを表示させることで、ユーザにインク吸収体４２の交換時期であることを知らせる（Ｓ４０４）。次に、ユーザがカセット４１を交換する（Ｓ４０５）。ユーザは記録装置本体からカセット４１を取り出し、カセット４１を廃棄する。その後、ユーザは新しいカセット４１を記録装置本体に取り付ける。なおユーザからの交換要求がなされた場合は、取り出されたカセット４１を再び取り付け再使用することが可能である。
【００３７】
また、交換基準位置を検知する交換基準位置検知センサは、送り出し回転体４３から巻取り回転体４５に至る経路のうちどこに設置しても構わない。つまり、インク吸収体４２が、送り出し回転体４３から巻取り回転体４５に至る経路のうちの予め決められた箇所に到達したら、巻取りモータを回転させる工程（Ｓ４０２）が行なわれる。
【００３８】
なお、交換基準位置検知センサで検知する方法以外にも、インク吸収体４２の交換基準位置を検知する方法がある。例えば、送り出し回転体４３に巻回されているインク吸収体４２のロール径が所定の径以下になったかどうか判断することにより、インク吸収体４２の交換基準位置を検知するようにしてもよい。
【００３９】
また、インク吸収体４２の交換基準位置を検知する、さらに他の方法について説明する。インク吸収体４２の膜厚をｔ、巻取り回転体４５の回転数をＮ、回転角をθ、インク吸収体４２の巻径をＤ、巻取り回転体４５の軸径をＤ０とすると、巻径ＤはＤ０+２Ｎｔで示される。またインク吸収体４２の交換基準位置に達するまでの巻取り量をＬとしたとき、巻取り量ＬはＬ=πＤθで示される。払拭ユニットであるカセット４１に設置された図示しない例えばエンコーダ等のセンサにより巻取り回転体４５の回転角θおよび回転数Ｎが検出され、記録装置の制御部、つまりＣＰＵ２８によって巻取り量Ｌが算出される。記録装置には、あらかじめ交換するまでに巻取るインク吸収体４２の巻取り量が設定されている。この巻取り量とは、インク吸収体４２の巻取り回転体４５への巻取り開始位置から交換基準位置までの長さである。巻取り回転体４５によるインク吸収体４２の巻取り量と、予め交換時期に設定した巻取り量とを対比し、一致したことをＣＰＵ２８で検出すると、交換時期に達したと判断する。
【００４０】
なお、交換時に開口部４４から露出している未使用部分のインク吸収体４２には、払拭液を浸透させなくてもよい。さらに交換基準位置以降は、インク吸収体４２と別部材、例えばテープなどでもよく、その際、別部材の開始位置を検出することでインク吸収体４２の交換基準位置を検出するようにしてもよい。
【００４１】
以上のようにすることで、払拭ユニットであるカセット４１の開口部４４には未使用のインク吸収体４２が位置し、開口部４４を未使用のインク吸収体４２で塞いでいる。そのため、ユーザがカセット４１を記録装置本体から取り出す際に手が開口部４４を介して吸収済みのインク吸収体５２に触れてしまい、手が汚れてしまう、といったことが起こらなくなる。また、カセット４１ごと交換してしまうので、ユーザはカセット４１の取り出しと取り付けだけをすればよいので、インク吸収体４２の交換に手間がかからない。
【００４２】
次に、図６を用いて、カセット４１を記録装置本体に取付けるときの動作を説明する。図６は、カセット４１を記録装置本体に取付けるときの動作の流れを示すシーケンス図である。
【００４３】
記録装置に設けられた不図示のカセット４１の設置有無を検出する設置有無センサによってカセット４１の有無が判断される（Ｓ６０１）。新しいカセット４１を記録装置本体に取り付けた場合でも、インク吸収体４２が未使用部分を有する状態で取り出したカセット４１を再度記録装置本体に取り付けた場合でも、カセット４１の開口部４４全域に未使用の吸収インク吸収体４２が露出している状態である。前記の再度取り付けたカセット４１の場合、インク吸収体４２を送り出し回転体４３で巻回すことで、押圧部材４６と対向する位置より巻取り回転体４５側に位置していた未使用のインク吸収体４２を利用することが可能である。
【００４４】
カセット４１には使用履歴を記録するＲＯＭを有しており、記録装置本体に取り付けられたカセット４１における使用履歴の有無を判断する（Ｓ６０２）。使用履歴のない新規カセット４１を記録装置本体に取り付けた場合には、記録装置に設けられている表示部に設置が完了したことを表示させることで、ユーザにカセット４１の設置が完了したことを知らせる（Ｓ６０５）。
【００４５】
一方、使用履歴のあるカセット４１が再度取り付けられた場合、送り出しモータを駆動するための指令がモータドライバによって送られ、送り出しモータが駆動する（Ｓ６０３）。これにより、送り出しモータに嵌合された送り出し回転体４３が回転し、インク吸収体４２が所定量巻き取られる（Ｓ６０４）。なお、所定量とは、未使用のインク吸収体４２の先端位置が押圧部材４６と対向する位置まで移動する長さである。
【００４６】
その後、記録装置に設けられている表示部に設置が完了したことを表示させることで、ユーザにカセット４１の設置が完了したことを知らせる（Ｓ６０５）。
【００４７】
なお、本実施形態の説明では、押圧部材４６は記録装置本体に設けていたが、払拭ユニットであるカセット４１と一体型にしてもよい。
【符号の説明】
【００４８】
１  記録ヘッド
２〜５  吐出口
６  記録媒体
２０  インク払拭装置
４１  カセット（払拭ユニット）
４２  インク吸収体
４３  送り出し回転体
４４  開口部
４５  巻取り回転体
４６  押圧部材
【図１】
2012051142.tif 000003
【図２】
2012051142.tif 000004
【図３】
2012051142.tif 000005
【図４】
2012051142.tif 000006
【図５】
2012051142.tif 000007
【図６】
2012051142.tif 000008